(57)【要約】【課題】歯ブラシに付いた水滴を自然に落ちやすくし、歯ブラシを常に乾燥状態で衛生的に保ち、水滴の溜まりやすい箱隅形状をなくして掃除を容易した歯ブラシ立てを提供すること。【解決手段】直立の支柱５に笠状で側面視が台形の略円錐形状の上下２つの支持体２、３を備え、支持体２，３に歯ブラシ１０を起立状態に貫通支持する挿通孔６，７を複数備えて、支柱５の最下部に歯ブラシ１０の下部１１を受ける受け台４を備え、支持体２，３と受け台４の受け面が傾斜してなる。【選択図】図１
2011193938.tif 000002
【特許請求の範囲】
【請求項１】
歯ブラシ立てにおいて、直立の支柱に、歯ブラシを起立状態に貫通支持する挿通孔を適宜複数有した支持体を適宜間隔に上下２つ挿着し、前記支持体が笠状で側面視が台形で略円錐形状であって、２つの前記支持体の挿通孔を貫通した歯ブラシの柄の下部を受ける受け台を前記直立の支柱の最下部に備え、前記受け台が略円錐形状であって、前記２つの支持体と前記受け台の受け面が傾斜してなることを特徴とする歯ブラシ立て。
【請求項２】
支台を備えた直立した支柱に、歯ブラシを起立状態に貫通支持する挿通孔を適宜複数有する支持体を適宜間隔に上下２つ備え、前記支持体が傾斜した板状であって、２つの前記支持体の挿通孔を貫通した歯ブラシの柄の下部を受ける受け台を前記支持体と前記支柱の最下部の支台の間に備え、前記受け台が板状で受け面が傾斜してなることを特徴とする歯ブラシ立て。
【請求項３】
前記歯ブラシ立ての、歯ブラシを起立状態に貫通支持する挿通孔を備えた上下２つの支持体と歯ブラシの柄の下部を受ける受け台が、歯ブラシ立ての上から見て半円形で半笠状の半円錐形状であることを特徴とする請求項２記載の歯ブラシ立て。
【請求項４】
前記歯ブラシ立ての歯ブラシの柄の下部を受ける受け台において、傾斜した受け面の裾部に溝を備えたことを特徴とする第１項、第２項または第３項記載の歯ブラシ立て。
【発明の詳細な説明】
【技術分野】
【０００１】
本発明は歯ブラシ立てに関する。
【背景技術】
【０００２】
従来、衛生的に保管できる歯ブラシ立てが提案されている。
【０００３】
たとえば特許文献１には、中空箱状の歯ブラシ立てであって、保管する複数本の歯ブラシが隣り合ったもの同士で当たるのを確実に抑制する事のできる歯ブラシ立てが開示されている。ただし、中空箱状のために歯ブラシに付いた水滴は箱の中に溜まり滞り、カビ、臭いが発生しやすく、箱内の細部の掃除も容易ではない課題がある。
【０００４】
また、特許文献２には、歯ブラシに付いた水滴が溜まり滞る事がなく、掃除等のメンテナンスを容易に行うことができるアイデアが開示されている。具体的には、上面板部と中間板部と底面板部とを互いに適宜間隔をおいて平行状に並列して側面視略己の字形に形成し、上記上面板部及び中間板部には歯ブラシを挿し込むための差込み用穴を複数個形成し、底面板部の上面を平滑に形成している。
【０００５】
しかし、上記のような構造では、中間板部と底面板部に付着した水滴が他へ流れる構造ではないので、表面張力作用により水滴が溜まりやすく、カビ、臭い等が発生する。
【先行技術文献】
【特許文献】
【０００６】
【特許文献１】特開２００９−２３３００９号公報
【特許文献２】特開２００１−１６９９４１号公報
【発明の概要】
【発明が解決しようとする課題】
【０００７】
本発明の目的は、以上の課題を鑑みてなされたものであり、
歯ブラシに付いた水滴が滞る要因がなく衛生的で、また掃除がしやすい歯ブラシ立てを提供することである。
【課題を解決するための手段】
【０００８】
上記目的を達成するために本発明は、以下の特徴を有している。
【０００９】
すなわち、第１には、直立の支柱に、歯ブラシを起立状態に貫通支持する挿通孔を適宜複数有する支持体を適宜間隔に２つ備え、前記支持体が笠状で側面視が台形で略円錐形状であって、２つの前記支持体の挿通孔を貫通した歯ブラシの柄の下部を受ける受け台を前記支柱の最下部に備え、前記受け台が笠状で側面視が台形で略円錐形状であって、前記支持体と前記受け台の受け面が傾斜してなることを特徴としている歯ブラシ立てである。
【００１０】
第２には、支台を備えた直立した支柱に、歯ブラシを起立状態に貫通支持する挿通孔を適宜複数有する支持体を適所適宜間隔に２つ備え、前記支持体が傾斜した板状であって、２つの前記支持体の挿通孔を起立状態で貫通した歯ブラシの柄の下部を受ける受け台を前記支持体と前記支台の間に備え、前記受け台が板状で受け面が傾斜してなることを特徴とする歯ブラシ立てである。
【００１１】
第３には、前記歯ブラシ立ての２つの支持体と歯ブラシの柄の下部を受ける受け台が、歯ブラシ立ての上から見て半円形で半笠状の半略円錐形状であることを特徴とする請求項２記載の歯ブラシ立てである。
【００１２】
第４には、前記歯ブラシ立ての歯ブラシの柄の下部を受ける受け台において、傾斜した受け面の裾部に溝を備えたことを特徴とする第１項、第２項または第３項記載の歯ブラシ立てである。
【発明の効果】
【００１３】
本発明は、第１の特徴により、挿通孔に挿入された歯ブラシは２つの支持体により起立状態が保持され、歯ブラシの柄の下部を受ける受け台の受け面が傾斜していても、前後左右に倒れることなく安定した保管状態が保たれる。そして、歯ブラシに付いた水滴は、それぞれ支持部、受ける部分に接触するが、支持体は笠状の略円錐形のために水滴は斜めに落ちやすく溜まることはない。また、歯ブラシ立て下部の受け台に流れる水滴は、受ける面が傾斜しているので水滴は溜まらずに歯ブラシは乾燥状態が促進され、カビや臭いは発生しにくい。さらに、水滴が流れる箇所は箱隅などの溜まる箇所がなく、掃除が極めて容易であり、衛生的に保たれる。
【００１４】
また、本発明の第２の特徴は、２つの支持体の挿通孔に挿入された歯ブラシは上下２つの支持部により起立状態が保持され、歯ブラシの柄の下部を受ける板状の受け面が傾斜していても、前後左右に倒れることなく安定した保管状態が保たれる。そして、歯ブラシに付いた水滴は、それぞれ支持部、受け台に接触するが、支持体は板状で傾斜させているために水滴は斜めに落ちやすく溜まることはない。また、歯ブラシ立ての下部の受け台に流れる水滴は、受け面が傾斜しているので水滴は流れて溜まらず、歯ブラシは乾燥状態が促進されカビや臭いは発生しにくい。さらに、水滴が流れる箇所は箱隅などの溜まる箇所がなく、掃除が極めて容易であり、衛生的に保たれる。
【００１５】
また、本発明の第３の特徴は、本発明第２特徴の支持体と歯ブラシの柄の下部を受ける受け台が、歯ブラシ立ての上から見て半円形の半略円錐形状であって、上下２つの支持体の支持部により歯ブラシが起立状態に保持され、歯ブラシの柄の下部を受ける受け台が傾斜していても、前後左右に倒れることなく安定した保管状態が保たれる。
【００１６】
また、本発明の第４の特徴は、本発明第１、第２、第３の特徴の歯ブラシの柄の下部を受ける受け台において、傾斜した受け面の裾部に溝を備えて、歯ブラシから受け台に流れた水分を溜め、歯ブラシ立てを設置した場所に水分を逃がさず、周辺を汚さない役割を果たす。
【図面の簡単な説明】
【００１７】
【図１】図１は請求項１の歯ブラシ立ての斜視図である。
【図２】図２は請求項１の歯ブラシ立ての使用時側面図である。
【図３】図３は請求項２の歯ブラシ立ての正面図である。
【図４】図４は請求項２の歯ブラシ立ての使用時の左側面図である。
【図５】図５は請求項３の歯ブラシ立ての左側面図である。
【図６】図６は請求項３の歯ブラシ立ての平面図である。
【図７】図７は請求項４の歯ブラシ立ての使用時の左側面図である。
【発明を実施するための形態】
【００１８】
以下に図面を参照して、この発明を実施するための最良の形態を、実施例に基づいて例示的に詳しく説明する。ただし、この実施例に記載されている構成部品の材質、形状、数、その配置などは、特に特定的な記載がない限りは、この発明の範囲をそれらのみに限定する趣旨のものではない。
【実施例１】
【００１９】
請求項１の本発明において、図１と図２に示した歯ブラシ立て１は、直立の支柱５に歯ブラシ１０（図２）を支持する笠状で側面視が台形の略円錐形状の上下２つの支持体２，３と、歯ブラシ１０の下部１１を受ける略円錐形状の受け台４を備えている。上下の支持体２，３と支柱５とは分離でき、樹脂等により形成されていて、支柱５に支持体３の貫入穴部９を貫入し、さらに支持体２の貫入穴部８を貫入して歯ブラシ立て１を形成する。
【００２０】
支柱５は略円錐の形状であるが、受け台４に接する下部はやや太く、上部に向かって細くなるように形成し、貫入する上部の支持体２の貫入穴部８の径は下部の支持体３の貫入穴部９の径より少し小さく、おのおの上下適宜間隔に配置、貫入挿着できるように形成されている。
【００２１】
笠状の略円錐形を形成する上下２つの支持体２，３には、複数の挿通孔６、７が形成され、歯ブラシ１０を起立状態に貫通支持する。挿通孔６，７の形状は好ましくは略楕円形で、歯ブラシ１０の幅方向に合わせ安定して支持できる形状になっている。  さらに、支柱５の最下部に歯ブラシ１０の下部１１を受ける略円錐の形状の受け台４を備えてある。
【００２２】
このような歯ブラシ立て１に歯ブラシ１０を保管する時は、歯ブラシ１０の下部１１を支持体２の挿通孔６の一つに挿入し、続いてその下部に備えてある支持体３の挿通孔７の一つに挿入する。さらに歯ブラシ１０の下部１１を受ける受け台４に着台する。支持体２と３は適宜間隔で、歯ブラシ１０が挿通孔６と７を続けて貫通しやすい間隔で備えてある。
【００２３】
歯ブラシ１０は、２つの支持体２，３の挿通孔６，７により上下２つの支点で支持され、起立状態が保持される。さらに歯ブラシ１０の下部１１を受ける受け台４が略円錐の形状で受け面が傾斜しているが、上記支持体２，３により起立状態が保持固定されている為に受け台４に着台した歯ブラシ１０の下部１１は受け台４から滑り落ちることなく安定保持される。
【００２４】
さらに歯ブラシ１０を起立状態に安定保持することを図２（使用時の側面図）で以下に説明すると、
【００２５】
図２において、歯ブラシ１０の下部１１を受け台４に着台すると、歯ブラシ１０は受け台４の傾斜により、右側下部に滑り落ちる作用が働くが、下方支持体３の挿通孔７の右下側縁１４が支え止め、さらにその作用でブラシ部１２が左側に倒れる作用を、上方支持体２の挿通孔６の縁部１５の支えにより倒れ作用を止める。従って、歯ブラシ１０は起立状態に安定保持される。
【００２６】
このように、歯ブラシ立て１では、上記の構造により歯ブラシ１０の下部１１が着台する受け台４が傾斜面であっても起立状態を安定保持できるために、歯ブラシ１０に付いた水滴は上方から下方に自然に流れる。そして、受け台４に流れた水滴は傾斜面によりさらに下方に流れ、歯ブラシ１０には水滴が溜まらず乾燥状態が保たれる。
【００２７】
また、歯ブラシ１０を支える支持体２，３は笠状の略円錐形を形成しているので、歯ブラシ１０の水滴が支持体２，３に付着しても下方に流れ落ちる構造になっている。従って、歯ブラシ１０には水滴が残りにくく乾燥状態が促進される。
【００２８】
さらに、歯ブラシ立て１は笠状の略円錐形の支持体２，３と略円錐形の受け台４と直立の支柱５から構成されていて、水滴の溜まりやすい箱隅を形成していないので掃除が容易であり、常に衛生的に保つことが容易である。
【実施例２】
【００２９】
請求項２の本発明において、図３と図４に示した歯ブラシ立て２１は、支台２８を有する支柱２５に歯ブラシ３２（図４）を支持する板状で傾斜した上下２つの支持体２２，２３と、歯ブラシ３２の下部３３を受ける板状で傾斜した受け台２４を備えて形成されている。上下の支持体２２，２３と受け台２４は支柱２５とは分離でき、樹脂等により形成されている。歯ブラシ立て２１は、支柱２５に受け台２４の貫入穴部３１を貫入し、次に支持体２３の貫入穴部３０を貫入し、次に支持体２２の貫入穴部２９を貫入して歯ブラシ立て２１を形成する。
【００３０】
支柱２５は好ましくは板状の略四角錐の台形状であり、下部に備えた支台２８側の幅がやや太く、上部に向かって支柱２５の幅が細くなるように形成されている。そして、貫入する受け台２４の貫入穴部３１の径が一番大きく、次に支持体２３の貫入穴部３０の径、その次に上部の支持体２２の貫入穴部２９の径が小さくなり、おのおの支柱２５の下位置、中位置、上位置に適宜間隔に配置、貫入挿着できるように形成されている。また、支持体２２，２３と受け台２４のそれぞれの貫入穴部２９、３０、３１の断面は、図４に示すように貫入する支持体２５に対して傾斜して貫入装着できる角度に形成されている。
【００３１】
板状で傾斜のある支持体２２，２３には、歯ブラシ３２を起立状態に貫通支持する複数の挿通孔２６、２７が形成されている。挿通孔２６，２７の好ましい形状は略楕円形で、歯ブラシ３５の幅方向にあわせ安定して支持できる形状になっている。
【００３２】
このような歯ブラシ立て２１に歯ブラシ３２を保管する時は、歯ブラシ３２の下部３３を支持体２２の挿通孔２６の一つに挿入し、続いてその下部に備えた支持体２３の挿通孔２７の一つに挿入する。さらに、歯ブラシ３２の下部の３３を受ける受け台２４に着台する。支持体２２と２３は適宜間隔で、歯ブラシ３２が挿通孔２６と２７と続けて貫通しやすい間隔で備えてある。
【００３３】
歯ブラシ３２は、２つの支持体２２、２３の挿通孔２６、２７による上下２つの支点の支持で起立状態が保持され、歯ブラシ３２の下側の３点目の支持は受け台２４により保持される。従って、受け台２４は板状で受け面が傾斜しているが、上記支持体２２，２３により起立状態が保持されている為に受け台２４に着台した歯ブラシ３２の下部３３は受け台２４から滑り落ちることなく安定保持される。
【００３４】
さらに歯ブラシ３２が起立状態に安定保持する事を図４（使用時の側面図）で以下に説明すると、
【００３５】
図４において、歯ブラシ３２の下部３３を受け台２４に着台すると、歯ブラシ３２は受け台２４の傾斜面により、右側下部に滑り落ちる作用が働く。しかし、下方支持体２４の挿通孔２７の右下縁３５が支え止め、さらにその作用でブラシ部３４が左側に倒れる作用を、上方支持体２２の挿通孔２６の左上縁３６の支えにより倒れ作用を止めるので、歯ブラシ３２は起立状態に安定保持される。
【００３６】
このように、歯ブラシ立て２１では、上記の構造により歯ブラシ３２の下部３３が着台する受け台２４が傾斜面であっても起立状態を安定保持できるために、歯ブラシ３２に付いた水滴は上方から下方に自然に流れ落ちる。そして、受け台２４に流れ落ちた水滴は板状の傾斜面によりさらに下方に流れ落ち、歯ブラシ３２には水滴が溜まらず乾燥状態が促進される。
【００３７】
また、歯ブラシ３２を支える支持体２２，２３は板状で傾斜しているので、歯ブラシ３２の水滴が支持体２２、２３に付着しても下方に流れ落ちやすい構造になっている。従って、歯ブラシ３２には水滴が残りにくく乾燥状態が促進される。
【００３８】
さらに、歯ブラシ立て２１は、下部に支台２８を配設した支柱２５に傾斜した板状の受け台２４と傾斜した板状の２つの支持体２２，２３を貫入した構造になっているので、水滴の溜まりやすい箱隅などを形成していないので掃除が容易である。従って、常に衛生的に保つことが容易である。  
【実施例３】
【００３９】
請求項３の本発明において、図５と図６に示した歯ブラシ立て４１は、歯ブラシ立ての上から見て半円形であって、半笠状の半略円錐形の上下２つの支持体４２，４３と、半略円錐形の受け台４４を備えている。上下の支持体４２、４３と受け台４４と支台４８を持つ支柱４５とは、樹脂等により形成されていて分離でき、支柱４５に受け台４４の貫入穴部５４を貫入し、さらに支持体４３の貫入穴部５３を貫入し、さらに支持体４２の貫入穴部５２を貫入して歯ブラシ立て４１を形成する。
【００４０】
歯ブラシ立て４１は、２つの支持体４２，４３及び受け台４４が半略円錐形で支持部、受け部が傾斜なので、歯ブラシに付いた水滴を下方に流す特徴の構造となっている。
【００４１】
従って、歯ブラシには水滴が残りにくく乾燥状態が促進され、カビ、臭いが発生しにくい。
【実施例４】
【００４２】
本発明の第４の特徴は、本発明第１、第２、第３の特徴の歯ブラシの柄の下部を受ける受け台において、傾斜した受け面の裾部に溝６０を備えて、歯ブラシから受け台に流れた水滴を受け台の裾部で溜め、歯ブラシ立てを設置した場所に水滴を逃がさず、周辺を汚さない役割を果たす。（図７は請求項２の発明に溝６０を備えたもの）
【符号の説明】
【００４３】
１  歯ブラシ立て
２  支持体
３  支持体
４  受け台
５  支柱
６  挿通孔
７  挿通孔
８  穴部
９  穴部
１０  歯ブラシ
１１  歯ブラシの柄の下部
１２  ブラシ部
【図１】
2011193938.tif 000003
【図２】
2011193938.tif 000004
【図３】
2011193938.tif 000005
【図４】
2011193938.tif 000006
【図５】
2011193938.tif 000007
【図６】
2011193938.tif 000008
【図７】
2011193938.tif 000009